(57)【要約】【課題】建築内部に設けられる界壁や間仕切壁を形成する遮音パネルにおいて、製造コストを抑えかつ施工を容易にする。【解決手段】縦框材２ａ及び横框材２ｂを矩形枠状に組み立ててなる枠体２と、この枠体２の両面に設けられた合板５と、を備え、前記枠体２と前記合板５とで囲まれる中空部に斜め芯材４を前記縦框材２ａ及び横框材２ｂに対して傾斜した状態で設ける。【選択図】図１
2006169734.tif 000002
【特許請求の範囲】
【請求項１】
縦框材及び横框材を矩形枠状に組み立ててなる枠体と、この枠体の両面に設けられた面材と、を備え、
前記枠体と前記面材とで囲まれる中空部に斜め芯材が前記縦框材及び横框材に対して傾斜しかつ前記面材に当接して設けられていることを特徴とする遮音パネル。
【請求項２】
前記枠体内には補強桟材が縦横に設けられており、前記斜め芯材は前記補強桟材と前記枠体と前記面材とで囲まれる中空部に配置されていることを特徴とする請求項１に記載の遮音パネル。
【請求項３】
前記面材は合板であることを特徴とする請求項１又は２に記載の遮音パネル。
【請求項４】
前記枠体内には、吸音材が充填されていることを特徴とする請求項１〜３のいずれか一項に記載の遮音パネル。
【請求項５】
前記吸音材はグラスウールであることを特徴とする請求項４に記載の遮音パネル。
【発明の詳細な説明】
【技術分野】
【０００１】
本発明は、建築内部に設けられる界壁や間仕切壁を形成する遮音パネルに関する。
【背景技術】
【０００２】
パネル工法における界壁や間仕切壁は遮音パネルによって形成されることがある。この遮音パネルは、芯材によって組み立てられた枠体に遮音材である石膏ボード等を貼着し、この石膏ボードが貼着された枠体内にグラスウール等の吸音材を充填するものが知られている（特許文献１参照）。
【０００３】
ところで、遮音性能は周波数域によって異なっており、グラスウール等の吸音材は、高周波数域の音波は効率的に吸音できるが、低周波数域の音波に対しては効果が小さい。この低周波数域の音を遮音するには、質量則により壁パネルの面密度を大きくする必要があるため、遮音パネルの石膏ボードは複数枚重ねて貼着されたり、通常よりも厚い石膏ボードを貼着していた。
【特許文献１】特開平７−１５８１７９号公報
【発明の開示】
【発明が解決しようとする課題】
【０００４】
しかしながら、遮音パネルの石膏ボードを厚くしたり石膏ボードを複数枚重ねると、パネルの総厚さが他のパネルよりも厚くなり、現場での施工が煩雑になるという問題があった。また、遮音パネルの石膏ボードの厚さを変えずに枠体を形成する芯材の幅を変えると、他のパネルで使用する芯材ではサイズが合わないため新たな種類の芯材を製造しなければならない。よって、工場で生産する創作部材の種類が増え、製造コストが上がるという問題があった。
【０００５】
本発明の課題は、建築内部に設けられる界壁や間仕切壁を形成する遮音パネルにおいて、製造コストを抑えかつ施工を容易にすることである。
【課題を解決するための手段】
【０００６】
以上の課題を解決するため、請求項１に記載の発明は、例えば図１に示すように、縦框材２ａ及び横框材２ｂを矩形枠状に組み立ててなる枠体２と、この枠体２の両面に設けられた面材（例えば、合板５）と、を備え、
前記枠体２と前記面材（例えば、合板５）とで囲まれる中空部に斜め芯材４が前記縦框材２ａ及び横框材２ｂに対して傾斜しかつ前記面材（例えば、合板５）に当接して設けられていることを特徴としている。
【０００７】
請求項１に記載の発明によれば、縦框材２ａ及び横框材２ｂを矩形枠状に組み立ててなる枠体２と、この枠体２に設けられた面材（例えば、合板５）と、で囲まれる中空部に、斜め芯材４が設けられている。ここで、音源から出る音波は、空気中を進み面材（例えば、合板５）へと伝達され、振動波となる。そして、振動波は面材（例えば、合板５）の枠体２が固定されていない部分を伝わり、枠体２が固定されている部分が固定端となって振動波の一部が反射する。よって、面材（例えば、合板５）の枠体２が固定されていない部分が矩形の場合は、同じ距離を進む振動波が多くなる。従って、それらの振動波の波長が等しくなり、面材（例えば、合板５）から発生する音が増幅されて大きくなる。しかし、斜め芯材４を設けることで、面材（例えば、合板５）の枠体２が固定されていない部分が矩形ではなくなり、振動波が様々な距離を進んで反射されるため、振動波同士の波長が合いにくくなり、面材（例えば、合板５）から発生する音を抑えることができる。従って、遮音パネル１の遮音性能が向上する。
【０００８】
また、遮音パネル１を従来のように厚くする必要はないため、遮音パネル１の総厚さを他のパネルの総厚さに合わせることができ、現場での施工が容易になる。さらに、遮音パネル１の枠体２を形成する縦框材２ａ及び横框材２ｂは、他のパネルに使用するものを転用できるため、製造コストを抑えることができる。
【０００９】
請求項２に記載の発明は、例えば図１に示すように、請求項１に記載の遮音パネル１において、前記枠体内には補強桟材が縦横に設けられており、前記斜め芯材は前記補強桟材と前記枠体と前記面材とで囲まれる中空部に配置されていることを特徴としている。
【００１０】
請求項２に記載の発明によれば、枠体２内には補強桟材３が縦横に設けられ、補強桟材３と枠体２と面材（例えば、合板５）とで囲まれる中空部に斜め芯材４が配置されている。よって、遮音パネル１にかかる荷重に対する強度を上げることができ、遮音パネル１が荷重によって変形したり破壊されるのを防ぐことができる。
【００１１】
請求項３に記載の発明は、例えば図１に示すように、請求項１又は２に記載の遮音パネル１において、前記面材は合板５であることを特徴としている。
【００１２】
請求項３に記載の発明によれば、面材（例えば、合板５）は加工が容易な合板５であるため、施工が容易になる。また、合板５は安価であるため、遮音パネル１の製造コストを抑えることができる。
【００１３】
請求項４に記載の発明は、例えば図１に示すように、請求項１〜３のいずれか一項に記載の遮音パネル１において、前記枠体２内には、吸音材（例えば、グラスウール６）が充填されていることを特徴としている。
【００１４】
請求項４に記載の発明によれば、遮音パネル１の枠体２内には吸音材（例えば、グラスウール６）が充填されているため、面材（例えば、合板５）によって遮音されなかった音が吸音材（例えば、グラスウール６）によって吸音される。よって、遮音パネル１の遮音性能が向上する。
【００１５】
請求項５に記載の発明は、例えば図１に示すように、請求項４に記載の遮音パネル１において、前記吸音材（例えば、グラスウール６）はグラスウール６であることを特徴としている。
【００１６】
請求項５に記載の発明によれば、吸音材（例えば、グラスウール６）は断熱性を有するグラスウール６であるため、遮音パネル１の遮音性能が向上するとともに、断熱性能が向上する。
【発明の効果】
【００１７】
本発明によれば、斜め芯材を設けることで、面材の枠体が固定されていない部分が矩形ではなくなり、振動波が様々な距離を進んで反射されるため、振動波同士の波長が合わなくなり、面材から発生する騒音を抑えることができる。従って、遮音パネルの遮音性能が向上する。また、遮音パネルの総厚さを他のパネルの総厚さに合わせることができ、現場での施工が容易になる。さらに、遮音パネルの枠体を形成する縦框材及び横框材は、他のパネルに使用するものを転用できるため、製造コストを抑えることができる。
【発明を実施するための最良の形態】
【００１８】
以下、図を参照して本発明を実施するための最良の形態を詳細に説明する。
図１は、本発明に係る遮音パネル１である。この遮音パネル１は、縦框材２ａ及び横框材２ｂを矩形枠状に組み立ててなる枠体２と、この枠体２の両面に設けられた合板５と、を備えている。
【００１９】
図１に示すように、枠体２を形成する縦框材２ａ及び横框材２ｂはともに長尺の部材であり、これらの縦框材２ａ及び横框材２ｂは同じ幅を有している。また、枠体２の内部には、複数の長尺な部材である補強桟材３が縦横にかつ格子状に組み付けられており、これら補強桟材３の端面は枠体２に固定されている。
【００２０】
枠体２の両面にはビス等の止着材によって合板５が固定されており、枠体２と合板５と補強桟材３とで囲まれる中空部には、縦框材２ａ及び横框材２ｂに対して傾斜した斜め芯材４がそれぞれ配置されている。これらの斜め芯材４は、合板５に止着材によって固定されている。
【００２１】
合板５は、図２に示すように、枠体２又は補強桟材３又は斜め芯材４に固定されている部分と、固定されていない部分とを有する。枠体２又は補強桟材３又は斜め芯材４に固定されていない部分は振動波が伝播し易く、固定されている部分では固定端のように振動波が反射する。
【００２２】
図１に示すように、合板５と枠体２と補強桟材３と斜め芯材４とで囲まれる中空部にはグラスウール６が充填されている。
【００２３】
次に、以上のように構成される遮音パネル１の製造手順について説明する。
まず、縦框材２ａ及び横框材２ｂを矩形に枠組みして枠体２を形成し、この枠体２内に複数の補強桟材３を組み付ける。
【００２４】
次に、合板５のどちらか一方に、複数の斜め芯材４を固定する。なお、合板５を枠体２に固定したときに、斜め芯材４が合板５と枠体２と補強桟材３とで囲まれる中空部に配置されるような位置に斜め芯材４を固定する。
【００２５】
そして、枠体２の一方の面に斜め芯材４が固定された合板５を止着材によって固定し、枠体２と合板５と補強桟材３と斜め芯材４とで囲まれる中空部にグラスウール６を充填する。その後、枠体２の他方の面に合板５を止着材によって固定する。
【００２６】
なお、枠体２の一方の面に合板５を固定した後に、この合板５に斜め芯材４を固定しても良い。
【００２７】
以上のように構成される遮音パネル１によれば、縦框材２ａ及び横框材２ｂを矩形枠状に組み立ててなる枠体２と、この枠体２に設けられた合板５と、補強桟材３と、で囲まれる中空部ごとに、斜め芯材４がそれぞれ設けられている。ここで、音源から出る音波は、空気中を進み合板５へと伝達され、振動波となる。このとき、振動波は合板５の枠体２又は補強桟材３又は斜め芯材４が固定されていない部分を伝わり、枠体２又は補強桟材３又は斜め芯材４が固定されている部分が固定端となって振動波の一部が反射する。よって、合板５の枠体２又は補強桟材３又は斜め芯材４が固定されていない部分が矩形の場合は、同じ距離を進む振動波が多くなる。従って、それらの振動波の波長が等しくなり、合板５から発生する音が増幅されて大きくなる。しかし、図２に示すように、遮音パネル１に斜め芯材４を設けることで、合板５の枠体２又は補強桟材３又は斜め芯材４が固定されていない部分が矩形ではなくなり、振動波が様々な距離を進んで反射するため、振動波同士の波長が合いにくくなり、合板５から発生する音を抑えることができる。従って、遮音パネル１の遮音性能が向上する。
【００２８】
また、遮音パネル１を従来のように厚くする必要はないため、遮音パネル１の総厚さを他のパネルの総厚さに合わせることができ、現場での施工が容易になる。さらに、遮音パネル１の枠体２を形成する縦框材２ａ及び横框材２ｂは、他のパネルに使用するものを転用できるため、製造コストを抑えることができる。
【００２９】
さらに、枠体２内には補強桟材３が縦横に設けられている。よって、遮音パネル１にかかる荷重に対する強度を上げることができ、遮音パネル１が荷重によって変形したり破壊されるのを防ぐことができる。
【００３０】
また、枠体２には加工が容易な合板５が固定されているため、施工が容易になる。さらに、合板５は安価であるため、遮音パネル１の製造コストを抑えることができる。
【００３１】
また、遮音パネル１の枠体２内にはグラスウール６が充填されているため、合板５によって遮音されなかった音がグラスウール６によって吸音される。よって、遮音パネル１の遮音性能が向上する。また、グラスウール６は断熱性を有するため、遮音パネル１の断熱性能が向上する。
【００３２】
なお、以上の実施形態においては、面材を合板としたが、本発明はこれに限定されるものではなく、石膏ボード等でも良い。また、吸音材をグラスウールとしたが、ロックウールなどでも良い。
【図面の簡単な説明】
【００３３】
【図１】本発明を適用した遮音パネルの実施形態の構成を示す分解斜視図である。
【図２】本発明を適用した遮音パネルの実施形態の構成を示す正面図である。
【符号の説明】
【００３４】
１  遮音パネル
２  枠体
２ａ  縦框材
２ｂ  横框材
３  補強桟材
４  斜め芯材
５  合板
６  グラスウール
【図１】
2006169734.tif 000003
【図２】
2006169734.tif 000004